(57)【要約】【課題】用紙搬送経路を用紙が搬送される際、用紙から紙粉が発生する場合があり、紙粉が光センサーの構成部位に付着して検出能力が低下してしまう虞がある。  特に、用紙搬送経路の下側には重力の作用によって紙粉が落下し、そして堆積するため、光センサーの周囲に堆積した紙粉が光センサーの構成部位に移動し、付着する虞がある。【解決手段】媒体を搬送する媒体搬送経路と、媒体搬送経路を形成し、媒体を支持する媒体支持部と、媒体搬送経路と交差する検出光によって媒体支持部上を通過する媒体を検出する媒体検出手段と、を備え、媒体検出手段は、検出光の光路を構成する部位であって、媒体支持部に設けられる第１光学部位及び媒体支持部と対向して設けられる第２光学部位を備え、媒体支持部において第１光学部位の周囲には、第１光学部位における検出光の受光面より鉛直下方に位置する低位置部が設けられる。【選択図】図６
2020132388.tif 000002
【特許請求の範囲】
【請求項１】
鉛直方向と交差する方向に延びる、媒体を搬送する媒体搬送経路と、
前記媒体搬送経路を形成し、媒体を支持する媒体支持部と、
前記媒体搬送経路と交差する検出光によって前記媒体支持部上を通過する媒体を検出する媒体検出手段と、を備え、
前記媒体検出手段は、前記検出光の光路を構成する部位であって、前記媒体支持部に設けられる第１光学部位及び前記媒体支持部と対向して設けられる第２光学部位を備え、
前記媒体支持部において前記第１光学部位の周囲には、前記第１光学部位における前記検出光の受光面より鉛直下方に位置する低位置部が設けられる、
ことを特徴とする媒体搬送装置。
【請求項２】
請求項１に記載の媒体搬送装置において、前記低位置部が複数設けられる、
ことを特徴とする媒体搬送装置。
【請求項３】
請求項２に記載の媒体搬送装置において、複数の前記低位置部は、前記第１光学部位に対し、媒体搬送方向と交差する方向である第１方向に位置する第１低位置部と、前記第１方向に対し反対方向である第２方向に位置する第２低位置部と、を含み、
前記第１低位置部に対し前記第１方向に、媒体を支持する第１リブが設けられ、
前記第２低位置部に対し前記第２方向に、媒体を支持する第２リブが設けられ、
前記第１リブ及び前記第２リブの高さは、媒体搬送方向において第１位置を境にして上流が前記受光面より高く、下流が前記受光面より低く形成され、
媒体搬送方向において前記第１位置より下流に、前記検出光の受光位置が含まれる、
ことを特徴とする媒体搬送装置。
【請求項４】
請求項２に記載の媒体搬送装置において、複数の前記低位置部のうち一つは、前記第１光学部位に対し、媒体搬送方向の下流に設けられる、
ことを特徴とする媒体搬送装置。
【請求項５】
請求項１から請求項４のいずれか一項に記載の媒体搬送装置において、前記第１光学部位は、前記媒体支持部に対し固定される、前記検出光を反射する反射板で構成される、
ことを特徴とする媒体搬送装置。
【請求項６】
請求項５に記載の媒体搬送装置において、前記反射板は、媒体搬送方向の上流端部に、下方に向けて折れ曲がる折れ曲がり部を備える、
ことを特徴とする媒体搬送装置。
【請求項７】
請求項１から請求項６のいずれか一項に記載の媒体搬送装置において、前記媒体支持部において前記第１光学部位の周囲には、下方に開口する開口部が設けられる、
ことを特徴とする媒体搬送装置。
【請求項８】
請求項７に記載の媒体搬送装置において、前記開口部の下には、着脱可能なトレイが設けられている、
ことを特徴とする媒体搬送装置。
【請求項９】
請求項１から請求項８のいずれか一項に記載の媒体搬送装置において、前記低位置部には、プラスまたはマイナスの電位が付与されている、
ことを特徴とする媒体搬送装置。
【請求項１０】
請求項２に記載の媒体搬送装置において、前記受光面は、水平方向に対して所定角度を成す傾斜面である、
ことを特徴とする媒体搬送装置。
【請求項１１】
請求項１０に記載の媒体搬送装置において、前記受光面は、媒体搬送方向の上流方向が低くなる傾斜を成し、
前記受光面に対し媒体搬送方向の上流に、複数の前記低位置部のうちの一つが配置されている、
ことを特徴とする媒体搬送装置。
【請求項１２】
媒体に記録を行う記録手段と、
媒体を搬送する、請求項１から請求項１１のいずれか一項に記載の前記媒体搬送装置と、
を備えた記録装置。
【発明の詳細な説明】
【技術分野】
【０００１】
本発明は、媒体を搬送する媒体搬送装置、およびこれを備えた記録装置に関する。
【背景技術】
【０００２】
ファクシミリやプリンター等に代表される記録装置においては、媒体の一例である用紙の搬送経路に、用紙の先端或いは後端の通過を検出する為の検出手段が設けられる。  
この検出手段としては、例えば、用紙搬送経路に向けて検出光を発する発光素子と、発光素子から発せられた光を受光する受光素子と、を一対で備える光センサーがある（例えば、特許文献１）。
【先行技術文献】
【特許文献】
【０００３】
【特許文献１】特開２０１３−２３４０５９号公報
【発明の概要】
【発明が解決しようとする課題】
【０００４】
用紙搬送経路を用紙が搬送される際、用紙から紙粉が発生する場合があり、紙粉が光センサーの構成部位に付着して検出能力が低下してしまう虞がある。  
特に、用紙搬送経路の下側には重力の作用によって紙粉が落下し、そして堆積するため、光センサーの周囲に堆積した紙粉が光センサーの構成部位に移動し、付着する虞がある。
【課題を解決するための手段】
【０００５】
上記課題を解決する本発明の媒体搬送装置は、鉛直方向と交差する方向に延びる、媒体を搬送する媒体搬送経路と、前記媒体搬送経路を形成し、媒体を支持する媒体支持部と、前記媒体搬送経路と交差する検出光によって前記媒体支持部上を通過する媒体を検出する媒体検出手段と、を備え、前記媒体検出手段は、前記検出光の光路を構成する部位であって、前記媒体支持部に設けられる第１光学部位及び前記媒体支持部と対向して設けられる第２光学部位を備え、前記媒体支持部において前記第１光学部位の周囲には、前記第１光学部位における前記検出光の受光面より下方に位置する低位置部が設けられることを特徴とする。
【図面の簡単な説明】
【０００６】
【図１】プリンターの外観斜視図。
【図２】プリンターの側断面図。
【図３】プリンターの用紙搬送経路の概略図。
【図４】検出手段の側面図。
【図５】反射板及び低位置部を−Ｙ方向から見た図。
【図６】反射板及び低位置部の斜視図。
【図７】反射板及び低位置部の斜視図。
【図８】反射板及び低位置部の斜視図。
【図９】反射板及び低位置部の平面図。
【図１０】図９のＢ−Ｂ断面図。
【図１１】図１０の他の実施形態を示す図。
【図１２】図９のＣ−Ｃ断面相当図であって、反射板の他の実施形態を示す図。
【図１３】開口部の下にトレイを設けた実施形態を示す図。
【発明を実施するための形態】
【０００７】
以下、本発明について概略的に説明する。  
第１の態様に係る媒体搬送装置は、鉛直方向と交差する方向に延びる、媒体を搬送する媒体搬送経路と、前記媒体搬送経路を形成し、媒体を支持する媒体支持部と、前記媒体搬送経路と交差する検出光によって前記媒体支持部上を通過する媒体を検出する媒体検出手段と、を備え、前記媒体検出手段は、前記検出光の光路を構成する部位であって、前記媒体支持部に設けられる第１光学部位及び前記媒体支持部と対向して設けられる第２光学部位を備え、前記媒体支持部において前記第１光学部位の周囲には、前記第１光学部位における前記検出光の受光面より下方に位置する低位置部が設けられることを特徴とする。
【０００８】
本態様によれば、前記媒体支持部において前記第１光学部位の周囲には、前記第１光学部位における前記検出光の受光面より下方に位置する低位置部が設けられるので、前記第１光学部位の周囲にある前記低位置部に紙粉等の異物が堆積しても、それが前記第１光学部位に移動し、付着することを抑制できる。
【０００９】
第２の態様は、鉛直方向と交差する方向に延びる、媒体を搬送する媒体搬送経路と、前記媒体搬送経路を形成し、媒体を支持する媒体支持部と、前記媒体搬送経路と交差する検出光によって前記媒体支持部上を通過する媒体を検出する媒体検出手段と、を備え、前記媒体検出手段は、前記検出光の光路を構成する部位であって、前記媒体支持部に設けられる第１光学部位及び前記媒体支持部と対向して設けられる第２光学部位を備え、前記媒体支持部において前記第１光学部位の周囲には、前記第１光学部位における前記検出光の受光面より下方に位置する低位置部が複数設けられることを特徴とする。
【００１０】
本態様によれば、前記媒体支持部において前記第１光学部位の周囲には、前記第１光学部位における前記検出光の受光面より下方に位置する低位置部が複数設けられるので、前記第１光学部位の周囲にある前記低位置部に紙粉等の異物が堆積しても、それが前記第１光学部位に移動し、付着することを抑制できる。
【００１１】
第３の態様は、第２の態様において、複数の前記低位置部は、前記第１光学部位に対し、媒体搬送方向と交差する方向である第１方向に位置する第１低位置部と、前記第１方向に対し反対方向である第２方向に位置する第２低位置部と、を含み、前記第１低位置部に対し前記第１方向に、媒体を支持する第１リブが設けられ、前記第２低位置部に対し前記第２方向に、媒体を支持する第２リブが設けられ、前記第１リブ及び前記第２リブの高さは、媒体搬送方向において第１位置を境にして上流が前記受光面より高く、下流が前記受光面より低く形成され、媒体搬送方向において前記第１位置より下流に、前記検出光の受光位置が含まれることを特徴とする。
【００１２】
本態様によれば、媒体は前記第１光学部位の両側において前記第１リブと前記第２リブとで支持されるが、前記第１リブ及び前記第２リブの高さは、媒体搬送方向において第１位置を境にして上流が前記受光面より高く、下流が前記受光面より低く形成され、媒体搬送方向において前記第１位置より下流に、前記検出光の受光位置が含まれるので、前記受光面における前記受光位置に紙粉等の異物が付着しても、それを媒体先端によって掻き取ることができる。
【００１３】
第４の態様は、第２の態様において、複数の前記低位置部のうち一つは、前記第１光学部位に対し、媒体搬送方向の下流に設けられることを特徴とする。  
本態様によれば、複数の前記低位置部のうち一つは、前記第１光学部位に対し、媒体搬送方向の下流に設けられるので、媒体先端によって掻き取った紙粉等の異物を前記低位置部に落とすことができ、媒体先端によって掻き取った紙粉等の異物が再び前記第１光学部位に付着することを抑制できる。
【００１４】
第５の態様は、第１から第４の態様のいずれかにおいて、前記第１光学部位は、前記媒体支持部に対し固定される、前記検出光を反射する反射板で構成されることを特徴とする。  
本態様によれば、前記第１光学部位が、前記媒体支持部に対し固定される、前記検出光を反射する反射板で構成される装置において、上述した第１から第４の態様のいずれかの作用効果が得られる。
【００１５】
第６の態様は、第５の態様において、前記反射板は、媒体搬送方向の上流端部に、下方に向けて折れ曲がる折れ曲がり部を備えることを特徴とする。  
本態様によれば、前記反射板は、媒体搬送方向の上流端部に、下方に向けて折れ曲がる折れ曲がり部を備えるので、当該折れ曲がり部により、媒体先端の前記反射板への引っ掛かりを抑制できる。
【００１６】
第７の態様は、第１から第６の態様のいずれかにおいて、前記媒体支持部において前記第１光学部位の周囲には、下方に開口する開口部が設けられることを特徴とする。  
本態様によれば、前記媒体支持部において前記第１光学部位の周囲には、下方に開口する開口部が設けられるので、紙粉等の異物が前記開口部に入り込むことで、前記第１光学部位への紙粉等の付着を抑制できる。
【００１７】
第８の態様は、第７の態様において、前記開口部の下には、着脱可能なトレイが設けられていることを特徴とする。  
本態様によれば、前記開口部の下には、着脱可能なトレイが設けられているので、前記開口部に入り込んで落下する紙粉等の異物を前記トレイに堆積させ、そして前記トレイを取り外して回収することができ、ひいては装置寿命を延ばすことができる。
【００１８】
第９の態様は、第１から第８の態様のいずれかにおいて、前記低位置部には、プラスまたはマイナスの電位が付与されていることを特徴とする。  
本態様によれば、前記低位置部には、プラスまたはマイナスの電位が付与されているので、前記低位置部の周囲に電界を生じさせることで紙粉等の異物を前記低位置部に積極的に付着させることができる。その結果、前記第１光学部位への紙粉等の付着をより効果的に抑制できる。
【００１９】
第１０の態様は、第２の態様のいずれかにおいて、前記受光面は、水平方向に対して所定角度を成す傾斜面であることを特徴とする。  
本態様によれば、前記受光面は、水平方向に対して所定角度を成す傾斜面であるので、前記受光面に付着した紙粉等の異物を下方に落下させる様に促すことができる。
【００２０】
第１１の態様は、第１０の態様において、前記受光面は、媒体搬送方向の上流方向に向く傾斜を成し、前記受光面に対し媒体搬送方向の上流に、複数の前記低位置部のうちの一つが配置されていることを特徴とする。  
本態様によれば、前記受光面に付着した紙粉等の異物を前記低位置部に落下させることができ、これにより前記第１光学部位への紙粉等の付着を抑制できる。
【００２１】
第１２の態様に係る記録装置は、媒体に記録を行う記録手段と、媒体を搬送する、第１から第１１の態様のいずれかに係る前記媒体搬送装置とを備えたことを特徴とする。  
本態様によれば、媒体に記録を行う記録部を備える記録装置において、第１から第１１の態様のいずれかと同様の作用効果が得られる。
【００２２】
以下、本発明を具体的に説明する。  
以下では記録装置の一例としてインクジェットプリンター１について説明する。以下、インクジェットプリンター１を単にプリンター１という。  
尚、各図において示すＸ−Ｙ−Ｚ座標系は、Ｘ軸方向が記録ヘッド１０の走査方向であり、記録が行われる記録用紙の幅方向でもあり、また装置幅方向でもある。プリンター１と対面して＋Ｘ方向が左方向となり、−Ｘ方向が右方向となる。  
Ｙ軸方向は装置奥行方向であり、概ね記録時の用紙搬送方向に沿う方向である。＋Ｙ方向は装置背面から前面に向かう方向であり、−Ｙ方向は装置前面から背面に向かう方向である。本実施形態ではプリンター１の周囲を構成する側面のうち、排出トレイ１９が設けられた側面が装置前面となる。  
Ｚ軸方向は鉛直方向に沿う方向であり、装置高さ方向である。＋Ｚ方向が鉛直上方向であり、−Ｚ方向が鉛直下方向である。
【００２３】
以下、図１〜図３を参照して、プリンター１の全体構成について説明する。  
図１に示すプリンター１は、記録ユニット２と、液体格納ユニット３と、を備えて構成されている。  
記録ユニット２は、媒体の一例としての記録用紙に記録を行う記録ヘッド１０と、記録用紙を搬送する搬送経路を備えた用紙搬送装置９（図２）と、を含む各種構成部を内部に備えている。尚、記録用紙を搬送する観点において、プリンター１の全体が記録用紙を搬送する搬送装置と捉えることもできる。
【００２４】
記録ヘッド１０には、図３に示す様に複数のインク吐出ノズル１１が設けられている。記録ヘッド１０は、Ｘ軸方向に移動可能なキャリッジ２７に搭載されており、Ｘ軸方向に移動しながらインク吐出ノズル１１から液体の一例であるインクを記録用紙に吐出して記録を行う、所謂インクジェット式の記録ヘッドとして構成されている。
【００２５】
プリンター１は、記録機能だけでなく、原稿の読み取り機能、すなわちスキャナーを備える複合機として構成されている。本実施形態においては、記録ユニット２の上部にスキャナー部４が設けられている。尚、図１〜図３では、スキャナー部４の詳細な構成の図示は省略する。  
装置上部前方には、図１に示すようにスキャナー部４を含むプリンター１を操作する操作部５が設けられている。
【００２６】
図１に示す液体格納ユニット３には、記録ヘッド１０に供給するインクを収容した不図示の液体収容体が格納されている。インクは、液体格納ユニット３に格納された液体収容体から不図示のチューブを介して記録ヘッド１０に供給される。
【００２７】
記録ユニット２には、図２に示す記録ヘッド１０に向けて記録用紙を供給する上部供給機構７が設けられている。装置上部の後方には、図２に示す上部供給機構７へ記録用紙をセットする用紙セット部８を開閉する上部カバー２ａが設けられている。図２に示すように上部カバー２ａを開くことにより、用紙セット部８への記録用紙のセットが可能となる。
【００２８】
また、記録ユニット２の下方には、図２に示すように用紙トレイ６が設けられており、用紙トレイ６から記録ヘッド１０に向けて記録用紙を供給する下部供給機構１２が設けられている。記録ヘッド１０は、上部供給機構７または下部供給機構１２によって供給される記録用紙に記録を実行する。  
尚、プリンター１には、記録ユニット２に内蔵される用紙トレイ６の他、記録ユニット２の下部、或いは、液体格納ユニット３の下部に増設用の用紙収容ユニット（不図示）を設けることも可能である。
【００２９】
続いて、図３を参照してプリンター１において記録用紙を搬送する用紙搬送装置９の用紙搬送経路について説明する。  
図３において、符号Ｔ１で示す実線は、用紙トレイ６から下部供給機構１２によって給送される記録用紙の搬送経路を示している。以下、この経路を用紙搬送経路Ｔ１と言う。また、符号Ｔ２で示す一点鎖線は、上部供給機構７によって給送される記録用紙の搬送経路を示している。以下、この経路を用紙搬送経路Ｔ２と言う。
【００３０】
また、プリンター１は、記録用紙の第１面への記録後に当該記録用紙を反転して、第１面の反対面である第２面への記録を行う、所謂、両面記録を実行可能に構成されている。図３において符号Ｔ３で示す点線は、両面記録を実行する際に、第１面への記録後の記録用紙を反転する際に記録用紙がスイッチバックされる経路を示している。以下、この経路をスイッチバック経路Ｔ３と言う。
【００３１】
用紙搬送装置９には、用紙搬送経路において記録用紙の先端及び後端の通過を検出する検出手段４０が設けられている。本発明の特徴となる検出手段４０については、用紙搬送経路について説明した後に詳説する。  
以下において、用紙搬送経路Ｔ１、用紙搬送経路Ｔ２、スイッチバック経路Ｔ３の順に説明する。
【００３２】
用紙搬送経路Ｔ１には、用紙搬送装置９を構成する下部供給機構１２、反転ローラー２０、送りローラー２１、上流搬送ローラー対３０、第１搬送ローラー対３１、及び第２搬送ローラー対３２が設けられている。
【００３３】
符号Ｐ１は、用紙トレイ６にセットされた用紙束を表している。下部供給機構１２は、用紙トレイ６にセットされた用紙束Ｐ１を１枚ずつ送り出す。下部供給機構１２は、ピックアップローラー１６、下部給送ローラー１７、及び下部分離ローラー１８を備えている。
【００３４】
用紙トレイ６に収容された用紙束Ｐ１は、用紙トレイ６からピックアップローラー１６によってピックアップされた後、下部給送ローラー１７と下部分離ローラー１８とでニップされて、反転ローラー２０に向けて送り出される。  
反転ローラー２０は、その外周面で記録用紙を反転させつつ搬送するローラーである。符号２２及び符号２４で示すローラーは、それぞれ反転ローラー２０との間で記録用紙をニップする第１反転従動ローラー及び第３反転従動ローラーである。記録用紙は、反転ローラー２０によって反転されて、用紙トレイ６において上を向いていた面が下を向いた状態で送りローラー２１に向けて送られる。
【００３５】
反転ローラー２０の下流には、送りローラー２１が設けられている。尚、反転ローラー２０及び送りローラー２１は、不図示の駆動源によって駆動される。  
符号２５で示すローラーは、送りローラー２１との間で記録用紙をニップする第１送り従動ローラーである。記録用紙は、送りローラー２１と第１送り従動ローラー２５とによってニップされて、送りローラー２１の下流に位置する上流搬送ローラー対３０に送られる。  
上流搬送ローラー対３０は、駆動ローラー３０ａと、従動ローラー３０ｂと、を備えて構成されている。
【００３６】
用紙搬送方向において、記録ヘッド１０の下流には、記録用紙を搬送する第１搬送ローラー対３１及び第２搬送ローラー対３２が設けられている。第１搬送ローラー対３１は、第１搬送駆動ローラー３１ａと、第１搬送従動ローラー３１ｂとを備えて構成されている。第２搬送ローラー対３２は、第２搬送駆動ローラー３２ａと、第２搬送従動ローラー３２ｂとを備えて構成されている。  
駆動ローラー３０ａ、第１搬送駆動ローラー３１ａ、第２搬送駆動ローラー３２ａ、のこれらは、不図示のモーターによって回転駆動される。
【００３７】
記録ヘッド１０に対向する位置には、記録用紙を支持する、媒体支持部としての支持部材５０が設けられている。支持部材５０に支持されつつ記録領域Ｋを通過する記録用紙に対して、記録ヘッド１０の複数のインク吐出ノズル１１からインクが吐出されて記録が行われる。  
記録ヘッド１０による記録後の記録用紙は、第１搬送ローラー対３１及び第２搬送ローラー対３２によって排出トレイ１９に排出される。
【００３８】
続いて、同じく図３を参照して、用紙セット部８から上部供給機構７によって給送される記録用紙の搬送経路である用紙搬送経路Ｔ２について説明する。  
上部供給機構７によって給送される記録用紙は、用紙セット部８にセットされる。用紙セット部８には複数枚の記録用紙をセット可能である。図３において、用紙セット部８にセットされた用紙束を符号Ｐ２で示している。もちろん、用紙セット部８には一枚の記録用紙をセットすることも可能である。
【００３９】
用紙セット部８は、用紙搬送方向の上流に設けられる回動軸８ａに対して揺動するホッパーとして形成されている。図２において、用紙セット部８の上流には、用紙束Ｐ２の後端側を支持するペーパーサポート３４が設けられている。ペーパーサポート３４は、図２においてペーパーサポート３４の下方に位置する収納部３５に収納可能、且つ、収納部３５から引き出し可能に構成されている。上部供給機構７による給紙を行う場合には、ペーパーサポート３４が収納部３５から引き出され、上部供給機構７の非使用時には、ペーパーサポート３４が収納部３５に収納されて、上部カバー２ａを閉じることができる。
【００４０】
図３に戻り、用紙セット部８の下流には、上部供給機構７を構成する上部給送ローラー１３、上部分離ローラー１４、及び下流給送ローラー対１５が設けられている。  
用紙セット部８は、先端が上部給送ローラー１３に近づくように揺動し、用紙セット部８にセットされた用紙束Ｐ２の最上位の記録用紙が上部給送ローラー１３の回転によって下流に給送される。上部分離ローラー１４は、上部給送ローラー１３との間で記録用紙をニップして、複数の記録用紙を１枚に分離する。  
上部給送ローラー１３によって給送される記録用紙は、更に下流給送ローラー対１５によって下流に送られる。下流給送ローラー対１５は、駆動ローラー１５ａと、これに従動回転する従動ローラー１５ｂとを備えて構成される。
【００４１】
用紙搬送経路Ｔ２は、送りローラー２１と第１送り従動ローラー２５とのニップ位置の上流の第１合流部Ｇ１において、前述した用紙搬送経路Ｔ１に合流する。  
用紙搬送経路Ｔ２を搬送される記録用紙は、第１合流部Ｇ１から用紙搬送経路Ｔ１に入り、その後は用紙トレイ６から給送された記録用紙と同様、上流搬送ローラー対３０によって記録領域Ｋに送られて記録ヘッド１０による記録が行われた後、第１搬送ローラー対３１及び第２搬送ローラー対３２によって排出トレイ１９に排出される。
【００４２】
続いて、両面記録を行う場合の搬送経路であるスイッチバック経路Ｔ３について説明する。  
両面記録を行う場合、記録用紙の第１面に記録が行われた後、図３に示す上流搬送ローラー対３０、第１搬送ローラー対３１、及び第２搬送ローラー対３２を、記録時の回転方向とは逆方向に回転させる。このことによって、記録用紙は記録ヘッド１０によって記録を行う場合の用紙搬送方向である＋Ｙ方向とは反対の−Ｙ方向に搬送され、スイッチバック経路Ｔ３に入る。  
スイッチバック経路Ｔ３において、記録用紙は、送りローラー２１と第２送り従動ローラー２６とにニップされて−Ｙ方向に搬送され、更に、反転ローラー２０と第２反転従動ローラー２３とにニップされて−Ｙ方向に搬送される。
【００４３】
スイッチバック経路Ｔ３は、反転ローラー２０と第３反転従動ローラー２４とのニップ位置の上流の第２合流部Ｇ２において用紙搬送経路Ｔ１に合流しており、記録用紙は、用紙搬送経路Ｔ１に入るとともに反転ローラー２０によって反転されて搬送される。このことによって、記録用紙は、直近の記録面である第１面が下を向き、第２面が上側、すなわち、記録ヘッド１０に対向する姿勢で記録領域Ｋに送られる。  
記録領域Ｋにおいて記録ヘッド１０による第２面への記録が行われた後、記録用紙は、排出トレイ１９に向けて排出される。
【００４４】
続いて、プリンター１の用紙搬送経路Ｔ１において第１搬送ローラー対３１と第２搬送ローラー対３２との間に設けられた検出手段４０について説明する。検出手段４０は、用紙搬送経路Ｔ１と交差する検出光によって記録用紙を検出する手段であり、本実施形態では光学センサーである。  
尚、以下では、検出手段の一例として第１搬送ローラー対３１と第２搬送ローラー対３２との間に設けられた検出手段４０について説明するが、プリンター１においてはその他の位置にも検出手段（不図示）が設けられており、その検出手段に対し、以降説明する各実施形態を適用することもできる。
【００４５】
以下、図４以降を参照して検出手段４０及び支持部材５０について詳説する。図４に示す様に用紙搬送経路Ｔ１において第１搬送ローラー対３１と第２搬送ローラー対３２との間の経路部分は鉛直方向と交差する方向に延びており、本実施形態では下流に向かってやや上り傾斜を成している。  
用紙搬送経路Ｔ１を形成する支持部材５０は図３を参照しつつ説明した様に記録ヘッド１０と対向する位置において記録用紙を支持することに加え、更に第１搬送ローラー対３１と第２搬送ローラー対３２との間で記録用紙の特に先端を支持する様に構成されている。即ち、支持部材５０は記録ヘッド１０と対向する領域から更に下流に延設されている（図１３も参照）。支持部材５０は、本実施形態では全体が樹脂材料によって一体的に形成されている。
【００４６】
第１搬送ローラー対３１と第２搬送ローラー対３２との間において用紙搬送経路Ｔ１の上には支持部材３３が設けられ、支持部材３３によって第１搬送従動ローラー３１ｂと第２搬送従動ローラー３２ｂとが支持されている。  
また、支持部材３３には検出手段４０を構成する基板４３が設けられている。基板４３には検出光を発する発光素子４１と検出光を受ける受光素子４２とが設けられている。  
検出手段４０は、検出光の光路を構成する部位であって、用紙搬送経路Ｔ１を挟んで一方に配置される第１光学部位及び他方に配置される第２光学部位を備えており、本実施形態では、第２光学部位は検出光を発する発光素子４１及び検出光を受ける受光素子４２を備えて構成され、第１光学部位は反射板４５を備えて構成される。反射板４５の表面は、検出光を反射する反射面４５ａとなる。
【００４７】
発光素子４１から発せられた検出光は、反射板４５に向かう。符号Ｓ１で示す矢印は、発光素子４１から反射板４５に向かう検出光の向きを示している。  
反射板４５に到達した検出光は、反射板４５の反射面４５ａで反射し、受光素子４２に向かう。符号Ｓ２で示す矢印は、反射板４５から受光素子４２に向かう検出光の向きを示している。  
尚、反射板４５は検出光を積極的に反射させる様に高い反射率を有し、例えば鏡面で形成され、記録用紙が検出光の光路を遮ると相対的に反射率が下がり、これにより記録用紙先端の通過、或いは後端の通過を検知できる。但し、逆に反射板４５を低反射面、例えば黒色面やシボ面で形成し、記録用紙が検出光の光路を遮ると相対的に反射率が上がる様にしても良い。
【００４８】
以下、反射板４５の取り付け構造について図５〜図９を参照して詳説する。図５に示す様に第２搬送駆動ローラー３２ａは軸３２ｃに対しＸ軸方向に適宜の間隔で複数設けられており、インクを吸収した記録用紙は第２搬送駆動ローラー３２ａの位置で山となり、二つの第２搬送駆動ローラー３２ａの間で谷となる様に、波状に変形する。図５において符号Ｐを付す二点鎖線は記録用紙を示しており、以下では記録用紙を記録用紙Ｐと称する。Ｘ軸方向において反射板４５は、この谷となる位置に設けられる。尚、第１搬送駆動ローラー３１ａも同様に、軸３１ｃ（図４参照）に対しＸ軸方向に適宜の間隔で複数設けられており、Ｘ軸方向における位置は、図示は省略するが第２搬送駆動ローラー３２ａと同じ位置である。
【００４９】
図６、図７、図８、図９に示す様に支持部材５０には反射板載置部５１が設けられている。反射板載置部５１は平坦面として形成され、その上面に反射板４５を設ける。反射板４５は、例えば両面テープや接着材等の固定手段によって反射板載置部５１に固定することができる。  
反射板載置部５１に対し、第１方向である＋Ｘ方向には第１低位置部５２ａが設けられ、また反射板載置部５１に対し、第２方向である−Ｘ方向には第２低位置部５２ｂが設けられている。第１低位置部５２ａ及び第２低位置部５２ｂの上面は、本実施形態では平坦面であり、また同じ高さとなるように形成されている。
【００５０】
また、第１低位置部５２ａに対し＋Ｘ方向には、記録用紙Ｐを支持する第１リブ５５が設けられ、更に第２低位置部５２ｂに対し−Ｘ方向には、記録用紙Ｐを支持する第２リブ５６が設けられている。第１リブ５５と第２リブ５６は、ともにＹ軸方向に延設され、Ｚ軸方向の高さが同じになるように形成されている。
【００５１】
第１低位置部５２ａ及び第２低位置部５２ｂは、反射板載置部５１よりもＺ軸方向の高さが低い。ここで、第１低位置部５２ａ及び第２低位置部５２ｂが、反射板載置部５１よりもＺ軸方向の高さが低いとは、Ｙ軸方向の或る位置において第１低位置部５２ａ及び第２低位置部５２ｂが、反射板載置部５１よりも高さが低いという意味である。そしてこの関係は、第１低位置部５２ａ及び第２低位置部５２ｂと、反射板載置部５１との関係では、Ｙ軸方向のいずれの位置であっても成立する。
【００５２】
そして反射板載置部５１は、第１リブ５５及び第２リブ５６よりも高さが低い。反射板載置部５１が、第１リブ５５及び第２リブ５６よりも高さが低いとは、Ｙ軸方向の或る位置において反射板載置部５１が、第１リブ５５及び第２リブ５６よりも高さが低いという意味である。そしてこの関係は、反射板載置部５１と、第１リブ５５及び第２リブ５６との関係では、Ｙ軸方向のいずれの位置であっても成立する。
【００５３】
また第１低位置部５２ａ及び第２低位置部５２ｂに対し−Ｙ方向には、Ｘ軸方向に延びる規制リブ５８が設けられている。規制リブ５８は、第１低位置部５２ａ及び第２低位置部５２ｂの−Ｙ方向端部よりも上方に突出している。規制リブ５８は、Ｘ軸方向において反射板載置部５１の位置で途切れており、間隔５９が設けられている。そしてこの間隔５９に、反射板４５の凸部４５ｂが入り込んでいる。そして規制リブ５８に対し、反射板４５の凸部４５ｂを除く部分の−Ｙ方向縁部が当接することで（図１０参照）、反射板４５のＹ軸方向の位置が定まる様に構成されている。
【００５４】
支持部材５０において規制リブ５８ａに対し−Ｙ方向は鉛直下方に延びる壁となっており、間隔５９に対しては、図９に示す様に第３低位置部５２ｃが位置している。尚、図９では開口が形成された領域をハッチングで示している。本実施形態では、第３低位置部５２ｃの周囲に開口部５３ｂが設けられ、また第１リブ５５、第２リブ５６、第１低位置部５２ａ、第２低位置部５２ｂ、及び反射板載置部５１に対し＋Ｙ方向には、開口部５３ａが設けられている。
【００５５】
以上の様に本実施形態では、支持部材５０において第１光学部位としての反射板４５の周囲には、反射板４５における検出光の受光面である反射面４５ａより下方に位置する第１低位置部５２ａ及び第２低位置部５２ｂが設けられるので、紙粉等の異物が第１低位置部５２ａ及び第２低位置部５２ｂに堆積しても、それが反射板４５の反射面４５ａに移動し、付着することを抑制できる。特に、第１リブ５５及び第２リブ５６は記録用紙Ｐと接するため、第１リブ５５と第１低位置部５２ａとによって形成される角部や、第２リブ５６と第２低位置部５２ｂとによって形成される角部などに紙粉等が溜まりやすいが、その様な紙粉に対し反射板４５が高い場所に位置することとなるので、紙粉等の異物が第１低位置部５２ａ或いは第２低位置部５２ｂから反射板４５に移動することを抑制できる。  
尚、反射板４５の周囲において低位置部は本実施形態のように複数設けても良いし、一つのみ設けても良い。
【００５６】
本実施形態において反射面４５ａは、水平方向に対して所定角度を成す傾斜面である。従って反射面４５ａに付着した紙粉等の異物を例えば装置の振動や衝撃等によって下方に落下させる様に促すことができる。そして反射面４５ａは、用紙搬送方向の上流方向に向く、すなわち上流方向が低くなる傾斜を成しており、反射面４５ａに対し用紙搬送方向の上流に、第３低位置部５２ｃが配置されているので、反射面４５ａに付着した紙粉等の異物を第３低位置部５２ｃに落下させることができ、これにより反射面４５ａへの紙粉等の付着を抑制できる。
【００５７】
尚、図１０において符号Ｑ１で示す一点鎖線は、第１搬送ローラー対３１における用紙ニップ位置Ｎ１と第２搬送ローラー対３２における用紙ニップ位置Ｎ２とを結ぶ直線であり、第１リブ５５、第２リブ５６、及び反射面４５ａは、直線Ｑ１より上に突出しない位置にある。  
また、符号Ｑ２で示す二点鎖線は、第１搬送ローラー対３１における用紙ニップ位置Ｎ１での、第１搬送駆動ローラー３１ａ及び第１搬送従動ローラー３１ｂの共通接線である。即ち直線Ｑ２は、第１搬送ローラー対３１から送り出された記録用紙Ｐの先端が向かう方向であり、この直線Ｑ２は、反射面４５ａと交差する位置関係にある。
【００５８】
図１０において位置Ｒは、検出光の受光位置を示しており、受光位置Ｒは直線Ｑ２が反射面４５ａと交差する位置より下流にある。  
尚、本実施形態では受光位置Ｒは、第１リブ５５及び第２リブ５６より僅かに低い位置にある。但し、図５を参照しつつ説明したようにＸ軸方向において反射板４５の位置で記録用紙Ｐには谷が形成されるので、記録用紙Ｐの先端は受光位置Ｒに接触し易い構成となっている。記録用紙Ｐの先端が受光位置Ｒに接すると、記録用紙Ｐの先端によって反射面４５ａに付着した紙粉等の異物を掻き取ることができる。
【００５９】
尚、第１リブ及び第２リブの他の実施形態として、図１１に示す第１リブ５５Ａ及び第２リブ５６Ａのように、用紙搬送方向において第１位置Ｙ１を境にして上流が反射面４５ａより高く、下流が反射面４５ａより低くなるように形成し、第１位置Ｙ１より下流に、受光位置Ｒが含まれる様に構成することもできる。  
この様にすることで、記録用紙Ｐの先端が、反射面４５ａにより確実に接触し易くなり、記録用紙Ｐの先端によって反射面４５ａに付着した紙粉等の異物をより確実に掻き取ることができる。
【００６０】
また、図９を参照しつつ説明した様に、反射板４５の周囲には、下方に開口する開口部５３ａ、５３ｂが設けられるので、紙粉等の異物が開口部５３ａ、５３ｂに入り込むことで、反射板４５への紙粉等の付着を抑制できる。  
特に本実施形態では、開口部５３ａは反射板４５に対し用紙搬送方向の下流に設けられているので、記録用紙Ｐの先端で掻き取った紙粉等の異物を開口部５３ａに落とすことができる。  
尚、開口部は、反射板４５の周囲において本実施形態のように複数設けても良いし、一つのみ設けても良い。また、上述した低位置部を設けずに、開口部を設ける構成も採用できる。
【００６１】
また、反射板４５に対し用紙搬送方向の下流に位置する開口部５３ａを、有底部としても良い。即ちこの有底部は、第１低位置部５２ａ及び第２低位置部５２ｂと同様に、反射面４５ａより低い低位置部となる。この様に開口部を低位置部としても、紙粉等の異物が反射板４５に付着することを抑制できる。反射板４５に対し用紙搬送方向の上流に位置する開口部５３ｂも、同様に低位置部としても良い。  
また、Ｘ軸方向において第１リブ５５と反射板載置部５１との間に開口部を設けるとともに、第２リブ５６と反射板載置部５１との間に開口部を設けても良い
【００６２】
尚、開口部５３ａ、５３ｂの下に、図１３に示す様に着脱可能なトレイ６５を設けても良い。これにより、開口部５３ａ、５３ｂに入り込んで落下する紙粉等の異物をトレイ６５に堆積させ、そしてトレイ６５を取り外して回収することができ、ひいては装置寿命を延ばすことができる。
【００６３】
尚、反射板は、図１２に示す反射板４６のように、用紙搬送方向の上流端部に、下方に向けて折れ曲がる折れ曲がり部４６ｂを設けても良い。尚、図１２は、図１０及び図１１とは異なり図９のＣ−Ｃ断面に相当する。この様に折れ曲がり部４６ｂを設けることで、記録用紙Ｐの先端の、反射板４６への引っ掛かりを抑制でき、記録用紙Ｐの先端を円滑に反射面４６ａに案内することができる。
【００６４】
尚、第１低位置部５２ａ及び第２低位置部５２ｂには、プラスまたはマイナスの電位を付与しても良い。第１低位置部５２ａ、５２ｂに、プラスまたはマイナスの電位を付与することで、第１低位置部５２ａ、５２ｂの周囲に電界を生じさせることができ、これにより紙粉等の異物を第１低位置部５２ａ、５２ｂに積極的に付着させることができる。その結果、反射板４５への紙粉等の付着をより効果的に抑制できる。  
尚、第１低位置部５２ａ、第２低位置部５２ｂにプラスまたはマイナスの電位を付与することに代えて、粘着テープや粘着材を設け、これにより紙粉等を保持する様に構成することもできる。
【００６５】
本発明は上記において説明した各実施形態に限定されることなく、特許請求の範囲に記載した発明の範囲内で、種々の変形が可能であり、それらも本発明の範囲内に含まれるものであることは言うまでもない。  
例えば、上述した実施形態では第１光学部位を反射板４５で構成し、第２光学部位を発光素子４１及び受光素子４２で構成したが、その逆に第１光学部位を発光素子４１及び受光素子４２で構成し、第２光学部位を反射板４５で構成しても良い。或いは、反射板４５を設けずに、第１光学部位を発光素子４１で構成し、第２光学部位を受光素子４２で構成しても良いし、その逆に第１光学部位を受光素子４２で構成し、第２光学部位を発光素子４１で構成しても良い。  
その際、第２光学部位には、紙粉等が直接付着しないように、検出光を透過させるカバーを設けることが好ましい。
【符号の説明】
【００６６】
１…インクジェットプリンター、２…記録ユニット、３…液体格納ユニット、４…スキャナー部、５…操作部、６…記録用紙トレイ、７…上部供給機構、８…用紙セット部、９…用紙搬送装置、１０…記録ヘッド、１１…インク吐出ノズル、１２…下部供給機構、１３…上部給送ローラー、１４…上部分離ローラー、１５…下流給送ローラー対、１５ａ…駆動ローラー、１５ｂ…従動ローラー、１６…ピックアップローラー、１７…下部給送ローラー、１８…下部分離ローラー、１９…排出トレイ、２０…反転ローラー、２１…送りローラー、２２…第１反転従動ローラー、２３…第２反転従動ローラー、２４…第３反転従動ローラー、２５…第１送り従動ローラー、２６…第２送り従動ローラー、２７…キャリッジ、３０…上流搬送ローラー対、３０ａ…駆動ローラー、３０ｂ…従動ローラー、３１…第１搬送ローラー対、３１ａ…第１搬送駆動ローラー、３１ｂ…第１搬送従動ローラー、３２…第２搬送ローラー対、３２ａ…第２搬送駆動ローラー、３２ｂ…第２搬送従動ローラー、３３…支持部材、３４…ペーパーサポート、３５…収納部、４０…検出手段、４１…発光素子、４２…受光素子、４３…基板、４５…反射板、４５ａ…反射面、４５ｂ…凸部、５０…支持部材、５１…反射板載置部、５２ａ…第１低位置部、５２ｂ…第２低位置部、５２ｃ…第３低位置部、５３ａ、５３ｂ…開口部、５５…第１リブ、５６…第２リブ、５８…規制リブ、５９…間隔、６５…トレイ、Ｓ１、Ｓ２…光路、Ｔ１…用紙搬送経路、Ｔ２…用紙搬送経路、Ｔ３…スイッチバック経路、Ｇ１…第１合流部、Ｇ２…第２合流部
【図１】
2020132388.tif 000003
【図２】
2020132388.tif 000004
【図３】
2020132388.tif 000005
【図４】
2020132388.tif 000006
【図５】
2020132388.tif 000007
【図６】
2020132388.tif 000008
【図７】
2020132388.tif 000009
【図８】
2020132388.tif 000010
【図９】
2020132388.tif 000011
【図１０】
2020132388.tif 000012
【図１１】
2020132388.tif 000013
【図１２】
2020132388.tif 000014
【図１３】
2020132388.tif 000015